(57)【要約】【課題】本体の他の構成グループに対して空間的に分離可能な操作ユニットの装備された、対象物体またはプロセス課程の観察に使用される、および操作命令、制御命令の入力により物体またはプロセス課程の表示に影響を与える観察機器に関する。【解決手段】操作ユニット２には、機器パラメータに関する調整値の表示、プリセットのための装置および／または観察物体またはプロセス課程の画像描出のための装置が装備されている。その装置は、好ましくも、調整された機器パラメータの光学的表示、観察対象の物体またはプロセス課程の画像描出だけでなく、表示表面への接触により操作命令および制御命令の入力をも可能にするタッチスクリーン８として形成することができる。【選択図】図４
2005157345.tif 000002
【特許請求の範囲】
【請求項１】
本体の他のコンポーネントに対して空間的に分離可能な操作ユニット（７）の装備された、対象物体またはプロセス課程の観察に使用される、および操作命令、制御命令の入力により物体またはプロセス課程の表示に影響を与える観察機器であって；
操作ユニット（７）に
・  機器パラメータに関する調整値の表示、プリセットのための装置および／または
・  観察物体またはプロセス課程の画像描出のための装置が装備されている観察機器。
【請求項２】
調整値の表示のための装置として、または対象物体またはプロセス課程の描出のための装置として画像スクリーンが装備されていることを特徴とする請求項１に記載の観察機器。
【請求項３】
画像スクリーンが、表示表面への接触により調整値のプリセットができるタッチスクリーン（８）として形成されていることを特徴とする請求項２に記載の観察機器。
【請求項４】
操作ユニットに、調整値プリセットのためのプログラミング可能なキー（１０、１１、１２、１３、１４）が装備されていることを特徴とする上記請求項の１つに記載の観察機器。
【請求項５】
キー（１０、１１、１２、１３、１４）のうち、少なくとも１つが保存またはプリセットされた機器パラメータの自動調整のために用いられることを特徴とする請求項４に記載の観察機器。
【請求項６】
操作ユニットに、調整値プリセットのためのプログラミング可能な少なくとも１つのスクロール用ダイヤルが備えられていることを特徴とする上記請求項の１つに記載の観察機器。
【請求項７】
操作ユニットに、調整値プリセットのためのプログラミング可能なジョイスティックが備えられていることを特徴とする上記請求項の１つに記載の観察機器。
【請求項８】
操作ユニットを観察機器の他の構成部に形態符合結合または力学符合結合させるための連結装置が装備されていることを特徴とする上記請求項の１つに記載の観察機器。
【請求項９】
補助エネルギーの伝送のために、および操作ユニットと観察機器のその他コンポーネント間の制御信号の伝送のために、無線結合装置または有線結合装置が装備されていることを特徴とする上記請求項の１つに記載の観察機器。
【請求項１０】
観察機器と操作ユニット（７）間に、好ましくはデータバスをも含み、それによって機器コンポーネントと操作ユニット（７）間のデータ伝送を可能にする、電気接触部付きの差込式結合体が装備されていることを特徴とする請求項９に記載の観察機器。
【請求項１１】
操作信号および制御信号の伝送にＣＡＮバス結合が利用される請求項９または１０に記載の観察機器。
【請求項１２】
有線結合においては、操作ユニット（７）をその他の機器コンポーネントに対して位置移動させる場合のケーブル自動巻き上げ、巻き下ろし装置が配備されていることを特徴とする請求項９、１０または１１に記載の観察機器。
【請求項１３】
操作ユニット（７）が、音量または振動数など、調整された、またはプリセットされる機器パラメータに依存する音響信号の発信装置を有していることを特徴とする上記請求項の１つに記載の観察機器。
【請求項１４】
顕微鏡のその他コンポーネントと連結装置を通じて切り離し可能なように結合し、機器パラメータの変更を指示する操作命令および制御命令を入力する操作ユニット（７）の付いた顕微鏡として構成されていて、その操作ユニット（７）が機器パラメータに関する調整値の表示装置および／または観察物体またはプロセス課程の画像描出のための装置を有している上記請求項の１つに記載の観察機器。
【発明の詳細な説明】
【技術分野】
【０００１】
本発明は、本体の他の構成グループに対して空間的に分離可能な操作ユニットの装備された、対象物体またはプロセス課程の観察に使用される、および操作命令、制御命令の入力により物体またはプロセス課程の表示に影響を与える観察機器に関する。
【背景技術】
【０００２】
観察機器としての顕微鏡は、使用法および適用例の如何に応じて、操作および制御の枠内で変更、適合化およびコントロールしなければならない多数のパラメータを有している。例えば、従来型の光顕微鏡または立体顕微鏡の場合、観察を最適化できるファクタとしては、フォーカシング調整、結像縮尺率の変更、コントラスト法、照明方法の変更および選択、光制御、対象物体の移動および作動電圧の供給などがある。これですべてのファクタが枚挙されたわけではない。
【０００３】
現状技術レベルの顕微鏡では、通例、顕微鏡の様々な場所に配置可能な手動式回転ノブ、スイッチ、スライダなどにより操作および制御が行われる。これらの操作、制御素子は、人間工学上、しばしば好ましからざる位置に設置されていて、その配置は利用者にとって心地よいものでないことが多い。何時間も継続して顕微鏡鏡検を行う場合では、これが疲れの原因になり、欠点になるのが明らかである。
【０００４】
光顕微鏡をデスクトップ型またはラップトップ型パソコンにより操作および制御することも、確かに要求として知られており、可能ではあるが、しかしそのような方法は、装置面でも時間面でもコストがかかるので、特にトレーニングおよびルーチンワークへの適用の対象にはならない。その上、顕微鏡と制御コンピュータとのそのような組み合せによると、顕微鏡本体だけの場合と比較して設置場所が極端に大きくなる。
【発明の開示】
【発明が解決しようとする課題】
【０００５】
以上より、本発明では上記種類の観察機器を、利用者にとって簡易で人間工学上好ましい操作が実現できるように、改良開発することを基本課題に置いている。
【課題を解決するための手段】
【０００６】
本発明による場合、操作ユニットには、機器パラメータに関する調整値の表示、プリセットのための装置および／または観察物体またはプロセス課程の画像描出のための装置が装備されている。
【０００７】
これらの表示装置は、好ましくは画像スクリーンとして、特にグラフィックディスプレイとして形成することができる。別な形態として、操作命令および制御命令の入力が表示面の接触により行えるタッチスクリーンを装備することもできる。
【０００８】
それに代えて、または追加して、操作ユニットには、確定機能に対応して様々な機器パラメータの命令入力に用いられるプログラミング可能なキーが装備されている。さらに、操作ユニットには、同じく命令入力用として形成されているジョイスティックが備えられている。
【０００９】
操作ユニットから機器のその他コンポーネントへの操作命令および制御命令の伝送には、無線または有線結合が使用される。
【００１０】
後者の結合方式としてはＣＡＮバス結合が有力である。機械的補助手段としては、操作ユニットと機器のその他ユニット間に信号回線の自動巻き上げ、巻き下ろし装置が配備されており、これは特に操作ユニット設置場所の変更が多い場合に有用とされている。
【００１１】
操作ユニットおよび観察機器の基礎構造には、好ましくも双方に固定素子が取付けられており、それらは連結装置として相互に作用し合うが、必要に応じ、例えば観察機器本体の台架に操作ユニットを機械的に連結させるのに利用される。
【００１２】
観察機器が、例えば顕微鏡の場合、操作ユニットは連結装置の補助により顕微鏡本体と結合し、あるいは顕微鏡本体から切り離される。そのようにして、操作ユニットは顕微鏡本体の定位置に設置することができる。
【００１３】
なお、連結装置は操作ユニットを顕微鏡本体と形態符合結合させるための保持素子を有している。この結合は、例えば蟻継ぎ導溝によって実現できる。その場合、蟻継ぎ導溝は誘導方向での可動性を制限するためストッパの付いているのが目的にかなっている。それにより、例えば観察機器または顕微鏡を持ち上げたり置き換える場合、操作ユニットが不本意にも外れてしまうということが防止される。そのような蟻継ぎ導溝のほかにも、器械素子相手に相互に噛合って形態符合結合するのであれば、もちろんあらゆる種類のものが使用対象として考えられる。
【００１４】
機器本体に操作ユニットを力学符合結合させるには、別な選択肢として、保持素子を持つ連結装置を装備することもできる。その場合、例えば、機器台架の１つの面を磁化し、操作ユニットの符合面に永久磁石を取り付ける。嵌め合いにぴったり合った噛合せを達成するには、補助対策として、顕微鏡台架の対応刳り抜き部と噛合う誘導ピンを取り付けることができる。永久磁石をピン形態に構成することもできる。
【００１５】
作業位置の移動時には、連結装置を機器本体から外し、操作ユニットを人間工学上利用者にとって好ましいポジションに設置する。その場合、操作ユニットの機器本体からの切り離しは、好ましくも、技術的補助手段または道具なしに行うことができる。
【００１６】
操作ユニットに設置されている操作素子の作動により、制御信号が操作ユニットから他の機器構成グループへ伝送される。これは、既述のとおり、無線通信または赤外線インタフェースまたは有線通信によって行うことができる。
【００１７】
無線送信は、好ましくは、光制御、試料移動、フォーカシングにおける、および作動モードと待機モード間の切換における信号の転送に用いる。例えば、機器接続のオン、オフなど他の信号の場合は、ケーブルを通じての有線結合が不可欠である。
【００１８】
特に、操作ユニットへの補助エネルギの供給目的には、有用な対策として、場合によってはデータバスをも含み持ち、それによって機器コンポーネントと操作ユニット間のデータ伝送を可能にする、電気接触部付きの差込式結合体を装備することができる。差込式結合体はＣＡＮバス結合体として構成されていれば特に好ましい。
【００１９】
調整済み機器パラメータの呼び出し用として、プログラミング可能なキーが操作ユニットに装備されているので、利用者は同じく操作ユニットに組み込まれた表示装置から即座にこのパラメータを読み取り、読み取った機器パラメータから変更の必要な機器パラメータを選び出し、顕微鏡の調整のため、それを操作ユニットの命令実行キーでプリセットすることができる。
【００２０】
操作ユニットの入力素子は、もちろん、キーとしてだけでなく、命令入力に適しているのであれば、他のいずれの形態にも構成することができる。例えば、操作ユニットの表示装置では、異なった機器パラメータ間の切換操作用としてスクロールダイヤルを設けることができる。
【００２１】
特別な実施態様として、音量または振動数など、調整された、またはプリセットされる機器パラメータに依存する音響信号の発信装置を操作ユニットに取り付けることができる。
【発明を実施するための最良の形態】
【００２２】
以下では、本発明を実施例に基づき詳しく説明する。各図はそれぞれ次のものを表わしている
図１は、連結装置（図には描かれていない）を通じて顕微鏡本体１と結合している操作ユニット２とその顕微鏡本体１を示している。
【００２３】
図２では操作ユニット２の個別部分が拡大描画されている。操作ユニット２から顕微鏡本体１の別な部分への信号伝送は、ここでは例えば無線で行われる。
【００２４】
操作ユニット２には２つの操作素子の付いているのが認められる。すなわち、待機モードと作動モード間の切換指令のできる回線スイッチ３、および特に透過光観察の場合に、照明光の明度に影響を与えることのできる光制御のための回転ノブ４である。
【００２５】
図３は、図２に示した操作ユニット５に対する第１の代替手段である。ここでも作動モードと待機モード間の切換用として回線スイッチ３が設置されている。その他の操作機能にはキー６が用意されている。
【００２６】
最後の図４には、第２の選択肢としての操作ユニット７が描かれている。これはタッチスクリーンキー９を持つタッチスクリーン形式のものである。タッチスクリーン８上には、一つには操作機能を表示することができ、また他方、顕微鏡本体１が対応の撮像コンポーネントを有している限り、観察画像を描出することもできる。
【００２７】
この場合、対象物体、つまり試料の観察は、操作ユニット７としてのタッチスクリーン８で行うことができ、顕微鏡本体１の接眼レンズを通じて行う必要はない。操作ユニット７は、その上、直接プリセットするために、あるいは機器機能に影響を与えるために、特殊な適合化処置をした操作素子も有している。そのようなものには、入力キー１０のほか、フォーカシングキー１１、ズームキー１２、透過光制御キー１３および落射光制御キー１４がある。
【００２８】
ここではキーは全種類対揃いになっている。それは、設定を二方向に変更できるようにするためである。透過光制御キー１３および落射光制御キー１４は、それぞれ当該プログラミングにおいてナビゲーション用として選択使用することができる。例えば試料担体は、これらのキーにより顕微鏡対物レンズに対して移動させることができるので、タッチスクリーン８での観察では試料の別な断面に照準することができる。
【図面の簡単な説明】
【００２９】
【図１】連結装置を通じて互いに結合している顕微鏡本体および操作ユニット
【図２】操作ユニットの拡大図
【図３】別な形態の操作ユニット例
【図４】別な形態の操作ユニット例
【符号の説明】
【００３０】
１      顕微鏡本体
２      操作ユニット
３      回線スイッチ
４      回転ノブ
５      代替第１案の操作ユニット
６      キー
７      代替第２案の操作ユニット
８      タッチスクリーン
９      タッチスクリーンキー
１０    入力キー
１１    フォーカシングキー
１２    ズームキー
１３    透過光制御キー
１４    落射光制御キー
【図１】
2005157345.tif 000003
【図２】
2005157345.tif 000004
【図３】
2005157345.tif 000005
【図４】
2005157345.tif 000006